(57)【要約】【課題】脚体が展開位置にあり、ベッドがボトムの上面のレベルを高くさせた利用状態にある状態を、より安定的に確保できるようにする。【解決手段】ボトム１の持ち上げ操作による折り畳み位置から展開位置への脚体２の回動に伴って摺接案内部３３ａに掛合部２３ａを摺接させながら展開回動されるロックアーム体３の掛合凹部３７に展開位置において掛合部２３ａが入り込んで脚体２が展開位置にある状態を維持するようにしたベッドである。ロックアーム体３は、その長さ方向に沿ったスライド移動可能に備えられたロック補助体４を有している。このロック補助体４に、掛合凹部３７に掛合部２３ａが入り込んだ後のこのロック補助体４の自重による下降によりこの掛合凹部３７の入り口３７ａを塞ぐか又は狭めるようにこの掛合凹部３７の入り口３７ａ側に位置されるストッパ部４０が備えられている。【選択図】図６
2010131359.tif 000002
【特許請求の範囲】
【請求項１】
寝具の載置されるボトムに脚上端を回動可能に組み付けて、脚下端をこのボトムに接しさせ又は近接させた折り畳み位置に位置づけ可能とされた脚体と、
アーム基端を脚体の脚上端と異なる位置をもってボトムに回動可能に組み付けると共に、アーム下側部を脚体に備えられた掛合部への摺接案内部とし、アーム自由端側にこの摺接案内部に案内された掛合部の入り込む掛合凹部を備えて、前記脚体が折り畳み位置にあるときにこの脚体とボトムとの間に折り畳み状に支持されるロックアーム体とを備え、
ボトムの持ち上げ操作による折り畳み位置から展開位置への脚体の回動に伴って摺接案内部に掛合部を摺接させながら展開回動されるロックアーム体の掛合凹部に展開位置において掛合部が入り込んで脚体が展開位置にある状態を維持するようにしたベッドであって、
ロックアーム体は、その長さ方向に沿ったスライド移動可能に備えられたロック補助体を有しており、
このロック補助体に、掛合凹部に掛合部が入り込んだ後のこのロック補助体の自重による下降によりこの掛合凹部の入り口を塞ぐか又は狭めるようにこの掛合凹部の入り口側に位置されるストッパ部が備えられていることを特徴とするベッド。
【請求項２】
ロック補助体は、ロックアーム体の縦向きの側部への添装板部を有しており、
この添装板部が、摺接案内部の一部を構成する掛合部の案内下縁と、掛合凹部への連通部とを有すると共に、
この連通部と案内下縁の下端との間に、案内下縁の下端側を傾斜上側とするように傾斜した案内傾斜縁を持たせてストッパ部を形成させていることを特徴とする請求項１に記載のベッド。
【請求項３】
ロック補助体のスライド移動を所定の範囲に規制する規制手段を備えていることを特徴とする請求項１又は請求項２に記載のベッド。
【請求項４】
ロック補助体は、添装板部との間でロックアーム体を左右から挟み込む挟持部材と、ロックアーム体の横向きの側部の側方においてこの挟持部材と添装板部とを連接する連接部材とを備えてなることを特徴とする請求項２又は請求項３に記載のベッド。
【請求項５】
ロック補助体に、操作用把持部が備えられていることを特徴とする請求項１〜４のいずれか１項に記載のベッド。
【請求項６】
ロックアーム体のアーム自由端にハンドルバーが軸支されていると共に、このハンドルバーにこのハンドルバーの所定の回動位置においてロックアーム体のアーム自由端側からロック補助体の一部に当たってこのロック補助体を押し上げる押し上げ部が備えられていることを特徴とする請求項１〜４のいずれか１項に記載のベッド。
【請求項７】
寝具の載置されるボトムに脚上端を回動可能に組み付けて、脚下端をこのボトムに接しさせ又は近接させた折り畳み位置に位置づけ可能とされた脚体と、
アーム基端を脚上端と異なる位置をもってボトムに回動可能に組み付けると共に、アーム下側部を脚体に備えられた掛合部への摺接案内部とし、アーム自由端側にこの摺接案内部に案内された掛合部の入り込む掛合凹部を備えて、脚体が折り畳み位置にあるときにこの脚体とボトムとの間に折り畳み状に支持されるロックアーム体とを備え、
ボトムの持ち上げ操作による折り畳み位置から展開位置への脚体の回動に伴って摺接案内部に掛合部を摺接させながら展開回動されるロックアーム体の掛合凹部に展開位置において掛合部が入り込んで脚体が展開位置にある状態を維持するようにしたベッドを構成するロックアーム体に、その長さ方向に沿ったスライド移動可能に備えられると共に、
掛合凹部の入り口を塞ぐか又は狭めるようにこの掛合凹部の入り口側に位置されるストッパ部を備えており、
掛合凹部に掛合部が入り込んだ後の自重による下降によってこのストッパ部を掛合凹部の入り口側に位置させるようにしてなるロック補助体。
【発明の詳細な説明】
【技術分野】
【０００１】
この発明は、寝具を載せるボトムの上面のレベルを高くさせた利用状態とこれを低くさせた非利用状態との切り替え可能にこのボトムを支持する脚体を備えてなるベッドの改良、およびこの改良に用いられるロック補助体に関する。
【背景技術】
【０００２】
従来、寝具を載せるボトム１００の上面のレベルを高くさせた利用状態とこれを低くさせた非利用状態との切り替え可能にこのボトム１００を支持する脚体２００を備えてなるベッドとして、図１２及び図１３に示される構造のものが用いられている。
【０００３】
かかるベッドは、ボトム１００に脚上端２００ａを回動可能に組み付けて、脚下端２００ｂをこのボトム１００に接しさせ又は近接させた折り畳み位置に位置づけ可能とされた脚体２００と、アーム基端３００ａを脚体２００の脚上端２００ａと異なる位置をもってボトム１００に回動可能に組み付けると共に、アーム下側部３００ｂを脚体２００に備えられた掛合部２００ｃへの摺接案内部とし、アーム自由端３００ｃ側にこの摺接案内部に案内された掛合部２００ｃの入り込む掛合凹部３００ｄを備えて、前記脚体２００が折り畳み位置にあるときにこの脚体２００とボトム１００との間に折り畳み状に支持されるロックアーム体３００とを備えている。
【０００４】
そして、かかるベッドにあっては、ボトム１００の持ち上げ操作による折り畳み位置（図１２）から展開位置（図１３）への脚体２００の回動に伴って摺接案内部に掛合部２００ｃを摺接させながら展開回動されるロックアーム体３００の前記掛合凹部３００ｄに展開位置において前記掛合部２００ｃが入り込んで脚体２００が展開位置にある状態を維持するようにしている。
【発明の概要】
【発明が解決しようとする課題】
【０００５】
この発明が解決しようとする主たる問題点は、この種のベッドにおける、脚体が展開位置にあり、ベッドがボトムの上面のレベルを高くさせた利用状態にある状態を、より安定的に確保できるようにする点にある。
【課題を解決するための手段】
【０００６】
前記課題を達成するために、この発明にあっては、ベッドを、以下の（１）〜（５）の構成を備えたものとした。
（１）寝具の載置されるボトムに脚上端を回動可能に組み付けて、脚下端をこのボトムに接しさせ又は近接させた折り畳み位置に位置づけ可能とされた脚体と、
（２）アーム基端を脚体の脚上端と異なる位置をもってボトムに回動可能に組み付けると共に、アーム下側部を脚体に備えられた掛合部への摺接案内部とし、アーム自由端側にこの摺接案内部に案内された掛合部の入り込む掛合凹部を備えて、前記脚体が折り畳み位置にあるときにこの脚体とボトムとの間に折り畳み状に支持されるロックアーム体とを備え、
（３）ボトムの持ち上げ操作による折り畳み位置から展開位置への脚体の回動に伴って摺接案内部に掛合部を摺接させながら展開回動されるロックアーム体の掛合凹部に展開位置において掛合部が入り込んで脚体が展開位置にある状態を維持するようにしたベッドであって、
（４）ロックアーム体は、その長さ方向に沿ったスライド移動可能に備えられたロック補助体を有しており、
（５）このロック補助体に、掛合凹部に掛合部が入り込んだ後のこのロック補助体の自重による下降によりこの掛合凹部の入り口を塞ぐか又は狭めるようにこの掛合凹部の入り口側に位置されるストッパ部が備えられている。
【０００７】
かかる構成によれば、脚体が展開位置にある状態を簡素な構造をもってより安定的に維持させることができる。すなわち、ロック補助体のストッパ部によって脚体の展開位置においてロックアーム体の掛合凹部に入り込んだ脚体の掛合部はこのロック補助体を上方に移動させない限り掛合凹部から抜け出されることはない。
【０００８】
かかるベッドにおける前記ロック補助体は、ロックアーム体の縦向きの側部への添装板部を有するものとし、
この添装板部が、摺接案内部の一部を構成する掛合部の案内下縁と、掛合凹部への連通部とを有すると共に、
この連通部と案内下縁の下端との間に、案内下縁の下端側を傾斜上側とするように傾斜した案内傾斜縁を持たせて前記ストッパ部を形成させておくことが、好ましい。
【０００９】
このようにしておけば、脚体の掛合部が摺接案内部に案内されながら掛合凹部に入り込み可能な位置まで移動され、添装板部のストッパ部における案内傾斜縁に掛合部が摺接すると、この案内傾斜縁の傾斜によりロック補助体は上方に押し上げられる。これにより、ストッパ部を乗り越えての掛合凹部への掛合部の入り込みが可能とされる。掛合部がこのように掛合凹部に入り込むとロック補助体は自重により下降し、ストッパ部によって掛合凹部の入り口を塞ぐか又は狭める。これにより、脚体の掛合部がロック補助体を上方に移動させない限り掛合凹部から抜け出さないようにすることができる。
【００１０】
また、かかるロック補助体のスライド移動を所定の範囲に規制する規制手段を備えさせておけば、ロック補助体を必要な限度で、具体的には、最下降位置から前記案内傾斜縁によりストッパ部を掛合部が乗り越えるために必要なストロークか、このストロークよりもやや大きいストロークでのみ、上方に移動させるようにすることができる。
【００１１】
また、ロック補助体を、添装板部との間でロックアーム体を左右から挟み込む挟持部材と、ロックアーム体の横向きの側部の側方においてこの挟持部材と添装板部とを連接する連接部材とを備えてなるものとしておけば、既存のこの種のベッドのロックアーム体にもロック補助体は容易に備え付け可能とされ、この備え付けにより既存のベッドを前記機能を備えたベッドとすることができる。
【００１２】
また、ロック補助体に、操作用把持部を備えさせておけば、展開位置にある脚体のロックアーム体による支持状態は、この操作用把持部を利用してロック補助体をそのストッパ部が掛合凹部の入り口側に位置されない位置まで持ち上げながら、ロックアーム体を上方に向けて回動させて掛合凹部から掛合部を抜け出させることで、解除させることができる。
【００１３】
また、ロックアーム体のアーム自由端にハンドルバーを軸支させておくと共に、このハンドルバーにこのハンドルバーの所定の回動位置においてロックアーム体のアーム自由端側からロック補助体の一部に当たってこのロック補助体を押し上げる押し上げ部を備えさせておけば、このロックアーム体の操作により、ロック補助体を押し上げながらロックアーム体を折り畳んで、展開位置にある脚体のロックアーム体による支持状態を解除することができる。
【００１４】
また、前記課題を達成するために、この発明にあっては、ロック補助体を、以下の（１）〜（５）の構成を備えたものとした。
（１）寝具の載置されるボトムに脚上端を回動可能に組み付けて、脚下端をこのボトムに接しさせ又は近接させた折り畳み位置に位置づけ可能とされた脚体と、
（２）アーム基端を脚上端と異なる位置をもってボトムに回動可能に組み付けると共に、アーム下側部を脚体に備えられた掛合部への摺接案内部とし、アーム自由端側にこの摺接案内部に案内された掛合部の入り込む掛合凹部を備えて、脚体が折り畳み位置にあるときにこの脚体とボトムとの間に折り畳み状に支持されるロックアーム体とを備え、
（３）ボトムの持ち上げ操作による折り畳み位置から展開位置への脚体の回動に伴って摺接案内部に掛合部を摺接させながら展開回動されるロックアーム体の掛合凹部に展開位置において掛合部が入り込んで脚体が展開位置にある状態を維持するようにしたベッドを構成するロックアーム体に、その長さ方向に沿ったスライド移動可能に備えられると共に、
（４）掛合凹部の入り口を塞ぐか又は狭めるようにこの掛合凹部の入り口側に位置されるストッパ部を備えており、
（５）掛合凹部に掛合部が入り込んだ後の自重による下降によってこのストッパ部を掛合凹部の入り口側に位置させるようにしてなる。
【００１５】
かかる構成によれば、かかるロック補助体を、既存のこの種のベッドのロックアーム体に組み合わせることで、かかるロック補助体をロックアーム体の一部とさせて既存のこの種のベッドの脚体が展開位置にある状態を安定的に維持させることができる。
【発明の効果】
【００１６】
この発明にかかるベッドにあっては、そのボトムを支える脚体が展開位置にあり、ベッドがボトムの上面のレベルを高くさせた利用状態にある状態を、このときに脚体の掛合部の入り込んでいるロックアーム体の掛合凹部の入り口をロック補助体によって塞ぐか、狭めることで安定的に確保させることができる。
【００１７】
また、この発明にかかるロック補助体は、この種の既存のベッドのロックアーム体に備えさせることで、かかる既存のベッドをそれが利用状態にある状態をより安定的に確保し得るベッドとすることができる。
【図面の簡単な説明】
【００１８】
【図１】図１はベッドの側面構成図である。
【図２】図２は同要部分解斜視構成図である。
【図３】図３は同要部分解斜視構成図である。
【図４】図４は同一部破断要部側面構成図である。
【図５】図５は同一部破断要部側面構成図である。
【図６】図６は同一部破断要部側面構成図である。
【図７】図７はロック補助体４の側面構成図（（ａ）図）、同平面構成図（（ａ）図）、及び同分解斜視構成図（（ｃ）図）である。
【図８】図８は他の構成例にかかるロック補助体４の側面構成図（（ａ）図）、同平面構成図（（ａ）図）、及び同分解斜視構成図（（ｃ）図）である。
【図９】図９はロックアーム体のハンドルバーに押し上げ部を備えさせた構成例の要部平面構成図である。
【図１０】図１０は図９の構成例の要部側構成図である。
【図１１】図１１は図９の構成例の要部側構成図である。
【図１２】図１２は従来のベッドの側面構成図である。
【図１３】図１３は従来のベッドの側面構成図である。
【発明を実施するための形態】
【００１９】
以下、図１〜図１１に基づいて、この発明の典型的な実施の形態について、説明する。
【００２０】
なお、ここで図１は実施の形態にかかるベッドの長さ側を側方から見た状態として、図２は図１の右側を構成する各部材を分離させた状態として、図３は図１の左側を構成する各部材を分離させた状態として、それぞれ示している。
【００２１】
また、図４はボトム１の上面１０のレベルを低くさせた非利用状態にあるベッドの図１における右側の要部を拡大して、図６はボトム１の上面１０のレベルを高くさせた利用状態にあるベッドの図１における右側の要部を拡大して、図５は図６の状態に至る直前の様子を図１における右側の要部を拡大して、それぞれ示している。
【００２２】
また、図７は、ロック補助体４の構成を理解しやすいように、これを側方から見て（（ａ）図）、上方から見て（（ｂ）図）、さらに分解して（（ｃ）図）、それぞれ示しており、（ａ）図及び（ｂ）図においては各図における右側がロックアーム体３のアーム基端３１側、つまり、上側となっている。
【００２３】
また、図８は、図１〜図７に示されるベッドと構成の一部を異ならせるベッドに用いられるロック補助体４の構成を理解しやすいように、これを側方から見て（（ａ）図）、上方から見て（（ｂ）図）、さらに分解して（（ｃ）図）、それぞれ示しており、（ａ）図及び（ｂ）図においては各図における右側がロックアーム体３のアーム基端３１側、つまり、上側となっている。
【００２４】
また、図９〜図１１は、図１〜図７に示されるベッドのロックアーム体３を構成するハンドルバー３６を利用して、ロック補助体４を押し上げながらロックアーム体３を折り畳んで、展開位置にある脚体２のロックアーム体３による支持状態を解除できるようにした変更例を示している。
【００２５】
この実施の形態にかかるベッドは、寝具を載せるボトム１の上面１０のレベルを高くさせた利用状態とこれを低くさせた非利用状態との切り替え可能にこのボトム１を支持する脚体２を備えてなり、典型的には、親子ベッド（ペアベッドなどとも称される。）を構成する子ベッドとして利用されるものである。また、この実施の形態にかかるロック補助体４は、かかるベッドの脚体２をサポートするロックアーム体３（ロックプレートなどと称される。）に備え付けられて、かかるベッドが利用状態にある状態を、安定的に維持させるものである。
【００２６】
この実施の形態にかかるベッドをかかる子ベッドとする場合には、非利用状態においてボトム１の上面１０が、親子ベッドを構成する図示しない親ベッドのボトムの下面よりも低いレベルに位置されるように構成される。そして、非利用状態において、親ベッドのボトム下に子ベッドとして納め仕舞うようにする。また、この実施の形態にかかるベッドをかかる子ベッドとする場合には、利用状態においては、ボトム１の上面１０は親ベッドのボトムの上面と略同じレベルに位置されるように構成される。
【００２７】
この実施の形態にあっては、ボトム１は、平面視の状態において略長方形状をなすように構成されている。図中符号１１は、このボトム１の外郭を形成させる枠体である。このボトム１の上面１０にマットレスなどの寝具が載置される。典型的には、かかるボトム１の枠体１１、この枠体１１内に架設などされる寝具の支持部材１２、後述する脚体２、ロックアーム体３は金属により構成される。
【００２８】
脚体２は、図示の例では、ボトム１のヘッド側とフット側とにおいてそれぞれ、ボトム１の左右両側にそれぞれ備えられている。すなわち、かかるボトム１は四本の脚体２によって支えられるようになっている。なお、この実施の形態にかかるベッドは、ヘッド側とフット側を構造的に観念させない構成となっているため、本明細書においては説明の便宜の観点から、以下では図１の右側をヘッド側、左側をフット側としている。
【００２９】
図示の例では、各脚体２は、ボトム１に脚上端２０を回動可能に組み付けて、脚下端２１をこのボトム１に接しさせ又は近接させた折り畳み位置に位置づけ可能とされている。各脚体２は、角筒状をなすように構成されている。各脚体２の脚上端２０はいずれもボトム１の枠体１１に対しボトム１の左右方向に沿った軸２０ａをもって回動可能に組み合わされている。また、各脚体２の脚下端２１にはいずれもキャスター２１ａが備えられている。かかるキャスター２１ａの回転軸もボトム１の左右方向に沿っている。
【００３０】
より具体的には、ボトム１のヘッド側においては、左右の脚体２、２の脚下端２１側間に連結棒体２２を架設させてこの左右の脚体２、２を一体化させている。（図２）また、左右の脚体２、２間には、その長さ方向略中程の位置において、丸棒体２３が架設されている。すなわち、右側の脚体２の内側部に棒右端を一体に連接させると共に、左側の脚体２の内側部に棒左端を一体に連接させた丸棒体２３により、左右の脚体２、２は連結棒体２２よりも上方においてこの丸棒体２３によっても連結されている。かかる連結棒体２２と丸棒体２３との間には、連結棒体２２に板一辺を溶接させ、かつ、この板一辺に隣り合う板一辺を脚体２に溶接させて取り付けられた座板２４の下面に、補助キャスター２５がこの座板２４の板面に直交する軸をもって首振り可能に備えられている。脚体２の脚上端２０は、ボトム１のヘッド側の縁部から脚体２の長さ寸法分の距離を離した位置２０ｂにおいて、枠体１１の内側部に前記軸２０ａをもって回動可能に組み付けられている。脚体２はこの脚下端２１に備えたキャスター２１ａを折り畳み位置においてボトム１のヘッド側の縁部の下方に位置させ、ボトム１の下面に沿って横向きに配されるようになっている。そして、この折り畳み位置において補助キャスター２５を床面に接しさせてボトム１が支持されるようになっている。（図４）
【００３１】
また、ボトム１のフット側においても、左右の脚体２、２の脚下端２１側間に連結棒体２２を架設させてこの左右の脚体２、２を一体化させている。（図３）また、ボトム１のフット側においても、左右の脚体２、２間には、その長さ方向略中程の位置において、丸棒体２３が架設されている。すなわち、右側の脚体２の内側部に棒右端を一体に連接させると共に、左側の脚体２の内側部に棒左端を一体に連接させた丸棒体２３により、ボトム１のフット側においても、左右の脚体２、２は連結棒体２２よりも上方においてこの丸棒体２３によっても連結されている。かかる連結棒体２２と丸棒体２３との間には、連結棒体２２に板一辺を溶接させ、かつ、この板一辺に隣り合う板一辺を脚体２に溶接させて取り付けられた座板２４の下面に、補助キャスター２５がこの座板２４の板面に直交する軸をもって首振り可能に備えられている。ボトム１のフット側においても、脚体２の脚上端２０は、ボトム１のフット側の縁部から脚体２の長さ寸法分の距離を離した位置２０ｂにおいて、枠体１１の内側部に前記軸２０ａをもって回動可能に組み付けられている。ボトム１のフット側においても、脚体２はこの脚下端２１に備えたキャスター２１ａを折り畳み位置においてボトム１のフット側の縁部の下方に位置させ、ボトム１の下面に沿って横向きに配されるようになっている。そして、この折り畳み位置において補助キャスター２５を床面に接しさせてボトム１が支持されるようになっている。
【００３２】
このように構成される四つの脚体２を折り畳み位置に位置づけさせることで、ベッドは非利用状態とされる。（図４）この状態からボトム１を持ち上げ操作すると、四つの脚体２のそれぞれは、自重によりその脚上端２０をボトム１から離れ出させる向きに回動させ、所定の回動位置で後述するロックアーム体３によって支持されるようになっている。すなわち、この所定の回動位置が脚体２の展開位置であり、この展開位置において脚体２はキャスター２１ａを床面に接しさせてボトム１を支持しベッドは利用状態とされる。（図６）図示の例では、脚体２は、脚体２とボトム１とのなす角が約６５度となる位置まで回動されるようになっている。
【００３３】
なお、図示の例では、ボトム１のヘッド側において、左右の脚体２、２の一方とこのヘッド側にある枠体１１の内側部との間にガススプリング２６が配されている。また、ボトム１のフット側において、左右の脚体２、２の一方とこのフット側にある枠体１１の内側部との間にガススプリング２６が配されている。各ガススプリング２６は、ピストンロッド２６ａを脚体２に軸着し、シリンダー２６ｂのピストンロッド２６ａの突きだし側と反対の端部２６ｃを枠体１１の内側部に軸着させている。そして、脚体２が折り畳み位置にあるときに、最もピストンロッド２６ａがシリンダー２６ｂ内に押し込まれてピストンロッド２６ａに対する反力（押し出し方向の力）が大きくなるようにしてある。（図４）図示の例では、脚体２が折り畳み位置にあるとき、ピストンロッド２６ａの軸着位置の前方に脚体２の脚上端２０の回動組付け位置が位置されるようになっており、（図４）この脚体２が折り畳み位置にある状態においてはガススプリング２６は作用しないようになっている。この状態からボトム１を持ち上げ操作して脚体２が展開位置に向けてやや回動されると、脚体２の脚上端２０の回動組付け位置の下方にピストンロッド２６ａの軸着位置が位置されるようになることから、前記反力によるピストンロッド２６ａの伸張が許容され、この伸張により脚体２の展開位置への回動がアシストされるようになっている。
【００３４】
この実施の形態にかかるベッドにあっては、さらに、前記脚体２が展開位置にある状態を解除可能に維持するロックアーム体３を備えている。図示の例では、かかるロックアーム体３は、四本の脚体２のそれぞれに対応して設けられており、ロックアーム体３も四本備えられている。
【００３５】
各ロックアーム体３はそれぞれ、アーム自由端３０と反対のアーム端であってベッドが利用状態にあるときに上方に位置されるアーム基端３１を脚上端２０と異なる位置をもってボトム１に回動可能に組み付けている。
【００３６】
図示の例では、ロックアーム体３は、脚体２と略同じ長さを備えている。また、幅広の縦向きの側部３２と、幅狭で横向きのアーム下側部３３およびアーム上側部３４を備えた細長い板状をなすように構成されている。
【００３７】
ボトム１のヘッド側においては、左右のロックアーム体３、３はいずれも左右の脚体２、２の内側に位置されて、また、アーム基端３１をこのヘッド側にある枠体１１の幅側の内側部に対して左右方向に沿った軸３１ａをもって回動可能に組み付けられている。左右のロックアーム体３、３は、その長さ方向略中程の位置間に架設された連接棒体３５によって、一体化されている。左右のロックアーム体３、３のアーム下側部３３は左右の脚体２、２間に架設された丸棒体２３上に常時位置されるようになっており、これにより、ロックアーム体３は脚体２が折り畳み位置にあるときはアーム自由端３０をボトム１に近接させた横向きの状態に位置づけられ、脚体２が展開位置に向けて回動されるとアーム下側部３３を摺接案内部３３ａとして脚体２の丸棒体２３に摺接させながらアーム自由端３０を下方に向ける向きに展開回動されるようになっている。また、左右のロックアーム体３、３のアーム自由端３０はそれぞれ、ハンドルバー３６に一体に接続されている。このハンドルバー３６の右端は右側の脚体２の下方に位置され、このハンドルバー３６の左端は左側の脚体２の下方に位置されている。（図４）
【００３８】
また、ボトム１のフット側においても、左右のロックアーム体３、３はいずれも左右の脚体２、２の内側に位置されて、また、アーム基端３１をこのフット側にある枠体１１の幅側の内側部に対して左右方向に沿った軸をもって回動可能に組み付けられている。また、ボトム１のフット側においても、左右のロックアーム体３、３は、その長さ方向略中程の位置間に架設された連接棒体３５によって、一体化されている。また、ボトム１のフット側においても、左右のロックアーム体３、３のアーム下側部３３は左右の脚体２、２間に架設された丸棒体２３上に常時位置されるようになっており、これにより、ロックアーム体３は脚体２が折り畳み位置にあるときはアーム自由端３０をボトム１に近接させた横向きの状態に位置づけられ、脚体２が展開位置に向けて回動されるとアーム下側部３３を脚体２の丸棒体２３に摺接させながらアーム自由端３０を下方に向ける向きに展開回動されるようになっている。また、ボトム１のフット側においても、左右のロックアーム体３、３のアーム自由端３０はそれぞれ、ハンドルバー３６に一体に接続されている。このハンドルバー３６の右端は右側の脚体２の下方に位置され、このハンドルバー３６の左端は左側の脚体２の下方に位置されている。
【００３９】
また、各ロックアーム体３のアーム自由端３０側には、アーム下側部３３側からアーム上側部３４側に向けて形成された切り欠きにより、左右方向にに貫通し且つ下方に入り口３７ａを向けた掛合凹部３７が設けられている。この掛合凹部３７は左右の脚体２、２間に架設された丸棒体２３を納める内奥部３７ｂと、これに続く前記入り口３７ａとを備えている。（図７（ａ））
【００４０】
そして、この実施の形態にあっては、ロックアーム体３は、ボトム１の持ち上げ操作により折り畳み位置から展開位置へ向けて脚体２が回動されるとアーム下側部３３を摺接案内部３３ａとして脚体２の丸棒体２３に摺接させながらアーム自由端３０を下方に向ける向きに展開回動されると共に、脚体２が展開位置に至ったときに掛合凹部３７に丸棒体２３が入り込み、これにより展開位置に至った脚体２の折り畳み位置への回動を阻止してベッドが利用状態にある状態を維持するようになっている。図示の例では、ロックアーム体３は、ボトム１の下面とのなす角が約３５度となる位置まで展開回動され、この位置で掛合凹部３７に丸棒体２３を受け入れさせ、この位置で脚体２とは略９０度の角度をもって交わるようになっている。
【００４１】
すなわち、この実施の形態にあっては、脚体２の丸棒体２３がロックアーム体３の掛合凹部３７に掛合される掛合部２３ａとして機能するようになっている。そして、ロックアーム体３は、かかる脚体２が折り畳み位置にあるときにこの脚体２とボトム１との間に折り畳み状に支持されるようになっている。展開位置にある脚体２のロックアーム体３による支持状態は、前記ハンドルバー３６を利用してロックアーム体３を上方に向けて回動させて掛合凹部３７から掛合部２３ａを抜け出させることで解くことができ、この状態からボトム１を下方に押し下げる操作をすることで、脚体２を折り畳み位置に回動させ戻すことができる。図中、符号３８で示すのは、ロックアーム体３に形成されて、脚体２のかかる折り畳み位置において、掛合部２３ａの上端を収める凹所である。
【００４２】
また、前記ロックアーム体３は、その長さ方向に沿ったスライド移動可能にロック補助体４を備えている。そして、このロック補助体４に、前記ロックアーム体３の掛合凹部３７に脚体２の掛合部２３ａが入り込んだ後のこのロック補助体４の自重による下降によりこの掛合凹部３７の入り口を塞ぐか又は狭めるようにこの掛合凹部３７の入り口３７ａ側に位置されるストッパ部４０が備えられている。
【００４３】
これにより、この実施の形態にかかるベッドにあっては、脚体２が展開位置にある状態を簡素な構造をもってより安定的に維持させることができる。すなわち、ロック補助体４のストッパ部４０によって脚体２の展開位置においてロックアーム体３の掛合凹部３７に入り込んだ脚体２の掛合部２３ａはこのロック補助体４を上方に移動させない限り掛合凹部３７から抜け出されることはない。
【００４４】
また、かかるロック補助体４は、既存のこの種のベッドのロックアーム体３にその長さ方向に沿ったスライド移動可能で、且つ、ロックアーム体３の掛合凹部３７に脚体２の掛合部２３ａが入り込んだ後に自重により下降してこの掛合凹部３７の入り口３７ａをストッパ部４０により塞ぐか又は狭めるように組み合わせることで、ロックアーム体３の一部となって既存のこの種のベッドの脚体２が展開位置にある状態を安定的に維持させるものともなる。
【００４５】
この実施の形態にあっては、かかるロック補助体４は、ボトム１のヘッド側に配される左右の脚体２、２の一方と、ボトム１のフット側に配される左右の脚体２、２の一方にそれぞれ備えられている。（図２、図３）
【００４６】
この実施の形態にあっては、かかるロック補助体４は、ロックアーム体３の縦向きの側部３２への添装板部４１を有している。図示の例では、ロックアーム体３の二つの縦向きの側部３２、３２のうち、このロックアーム体３に隣り合う脚体２の側に向けられた縦向きの側部３２に添装板部４１は添装されている。また、この添装板部４１は、ロックアーム体３の前記摺接案内部３３ａに連なりこの摺接案内部３３ａの一部をなす掛合部２３ａの案内下縁４１ａと、掛合凹部３７への連通部４１ｃとを有している。そして、この連通部４１ｃと案内下縁４１ａの下端４１ｂ（案内下縁４１ａにおけるロックアーム体３のアーム自由端３０側の端）との間に、案内下縁４１ａの下端４１ｂ側を傾斜上側とするように傾斜した案内傾斜縁４０ａを持たせて前記ストッパ部４０が形成されている。（図７）
【００４７】
具体的には、図示の例では、添装板部４１は、ロックアーム体３の長さ方向に長い板状をなすように構成されている。添装板部４１におけるロックアーム体３のアーム自由端３０側に位置される箇所には、細幅部４１ｄが形成されている。この細幅部４１ｄは、上辺４１ｅとロックアーム体３のアーム下側部３３よりも上方に位置される下辺４１ｆとを備え、この細幅部４１ｄと添装板部４１の案内下縁４１ａとの間には段差４１ｇが形成されている。（図７（ｃ））ストッパ部４０は、この段差４１ｇ下において細幅部４１ｄとの間に掛合部２３ａを納める間隔を開けて突き出す爪状をなすように構成されている。そして、このストッパ部４０と細幅部４１ｄとの間が前記連通部４１ｃとして機能するようになっている。このストッパ部４０の突きだし端４０ｂと案内下縁４１ａの下端４１ｂとの間が前記案内傾斜縁４０ａとなっている。すなわち、ストッパ部４０は、ロックアーム体３の長さ方向に沿ってそのアーム自由端３０側に向けて突きだし、かつ、その突きだし端４０ｂと案内下縁４１ａの下端４１ｂとの間に、この案内下縁４１ａの下端４１ｂに近づくに連れてストッパ部４０を幅広にする向きに傾斜した前記案内傾斜縁４０ａを備えている。なお、図示の例では、かかる案内下縁４１ａはその下端４１ｂに向かうに連れて次第に添装板部４１の幅を広くさせるように傾斜しており、添装板部４１にはこの案内下縁４１ａの下端４１ｂと案内傾斜縁４０ａの上端との連接箇所を頂部４１ｉとする山状部４１ｈが形成されている。（図７）
【００４８】
折り畳み位置（図４）から展開位置へ脚体２が回動されるとロックアーム体３も展開回動され、これに伴ってロック補助体４も自重により下降される。脚体２の掛合部２３ａが摺接案内部３３ａに案内されながら掛合凹部３７に入り込み可能な位置まで移動され、添装板部４１のストッパ部４０における案内傾斜縁４０ａに掛合部２３ａが摺接すると、この案内傾斜縁４０ａの傾斜によりロック補助体４は上方に押し上げられる。（図５）これにより、ストッパ部４０を乗り越えての掛合凹部３７への掛合部２３ａの入り込みが可能とされる。掛合部２３ａがこのように掛合凹部３７に入り込むと補助ロック体は自重により下降し、ストッパ部４０によって掛合凹部３７の入り口３７ａを塞ぐか又は狭める。（図示の例では狭める。）これにより、脚体２の掛合部２３ａがロック補助体４を上方に移動させない限り掛合凹部３７から抜け出さないようにすることができる。（図６）
【００４９】
また、この実施の形態にあっては、ロック補助体４は、そのスライド移動を所定の範囲に規制する規制手段４２を備えている。具体的には、かかる規制手段４２により、ロック補助体４は、最下降位置から前記案内傾斜縁４０ａによりストッパ部４０を掛合部２３ａが乗り越えるために必要なストロークか、このストロークよりもやや大きいストロークでのみ上方に移動可能にロックアーム体３に備えられている。
【００５０】
具体的には、図示の例では、ロック補助体４は、前記添装板部４１との間でロックアーム体３を左右から挟み込む挟持部材４３と、ロックアーム体３の横向きの側部（図示の例では前記アーム上側部３４）の側方においてこの挟持部材４３と添装板部４１とを連接する連接部材４４とを備えている。そして、かかる添装板部４１の一部と挟持部材４３の一部とにより前記規制手段４２を構成させている。
【００５１】
より具体的には、添装板部４１の細幅部４１ｄの末端側には、この細幅部４１ｄの下辺４１ｆとの間に前記ハンドルバー３６を通し抜けさせる通し部４１ｍを形成させるようにして、ストッパ部４０の側に向けて突き出す補助片４１ｋが備えられている。この補助片４１ｋの突き出し端とストッパ部４０の突きだし端４０ｂとの間には、掛合部２３ａの外径以上の間隔が形成されている。一方、挟持部材４３は、ロックアーム体３の縦向きの側部３２への添装部４３ａと、この添装部４３ａにおけるロックアーム体３のアーム自由端３０側の端末からこの添装部４３ａに直交する向きに突き出す突片部４３ｂとを備えている。そして、この突片部４３ｂと補助片４１ｋの基部との間にハンドルバー３６が通されると共に、この両者の距離ｘが前記ストロークとなるようにしてある。（図７（ａ））
【００５２】
図示の例では、前記連接部材４４は、ロックアーム体３の横向きの側部の幅寸法に略等しい厚さ寸法を備えた角棒状体として構成されている。添装板部４１と挟持部材４３とは、ロックアーム体３のアーム上側部３４にこの連接部材４４を添装させるようにして、この連接部材４４を介してボルト４４ａにより留め付け合わされている。また、図示の例では、添装板部４１には、前記山状部４１ｈに形成させた貫通孔４１ｊを通じてロックアーム体３のアーム下側部３３の下方に一方軸端側を位置させる軸体４５が止着されている。この軸体４５の他方軸端には、操作用把持部４５ａが備えられている。これにより、図示の例では、第一に、既存のこの種のベッドのロックアーム体３にロック補助体４は容易に備え付け可能になっている。また、第二に、展開位置にある脚体２のロックアーム体３による支持状態は、この操作用把持部４５ａを利用してロック補助体４をそのストッパ部４０が掛合凹部３７の入り口３７ａ側に位置されない位置まで持ち上げながら、前記ハンドルバー３６を利用してロックアーム体３を上方に向けて回動させて掛合凹部３７から掛合部２３ａを抜け出させることで、解除できるようになっている。
【００５３】
以上に説明したロック補助体４の構成は、折り畳み位置から展開位置までの脚体２の回動量などに応じて適宜変更される。図８は、図中符号Ｐ１で示す位置からＰ２で示す位置までの比較的短い範囲で脚体２の展開位置への回動に伴って掛合部２３ａが移動する場合のロック補助体４の構成例を示している。図１〜図７に示された例と実質的に同じ構成部分にはこの図８において図１〜図７に用いた符号と同じ符号を付している。この例では、前記規制手段４２を、挟持部材４３のアーム自由端３０側の端末に形成された上下一対の突片部４３ｃ、４３ｃと、この一対の突片部４３ｃ、４３ｃの下端間を連接させる連接片４３ｄによって構成させており、さらにロックアーム体３にこの一対の突片４３ｃ、４３ｃ間に入り込むバー３９を備えさせている。かかる一対の突片４３ｃ、４３ｃ間の距離ｘが前記ストロークとなるようにしてある。
【００５４】
図９〜図１１は、前記ロックアーム体３を構成するハンドルバー３６を利用して、展開位置にある脚体２のロックアーム体３による支持状態を解除できるようにした変更例を示している。
【００５５】
この例では、ボトム１のヘッド側及びフット側の双方において、左右のロックアーム体３のアーム自由端３０間に掛け渡し状に備えられるハンドルバー３６が、このロックアーム体３のアーム自由端３０に軸支されている。かかるハンドルバー３６は丸棒状をなすと共に、ロックアーム体３に掛合凹部３７とアーム自由端３０との間においてロックアーム体３に形成された軸孔３０ａに通されてこのロックアーム体３に軸支されている。図９中符号３０ｂはこの軸孔３０ａとハンドルバー３６との間に介装されたブッシュであり、符号３０ｃはこのように軸支されたハンドルバー３６の軸方向の移動を規制するカラーである。すなわち、ハンドルバー３６はその中心軸をロックアーム体３の長さ方向に直交する向き、つまり、ベッドの左右方向に沿わせると共に、この中心軸を中心として回動操作可能にロックアーム体３に組み合わされている。
【００５６】
そして、この例では、かかるハンドルバー３６にこのハンドルバー３６の所定の回動位置においてロックアーム体３のアーム自由端３０側からロック補助体４の一部に当たってこのロック補助体４を押し上げる押し上げ部３６ａが備えられている。図示の例では、ロック補助体４は左右のロックアーム体３の一方にのみ備えられていると共に、ハンドルバー３６における左右のロックアーム体３の間に位置される箇所であってこのロック補助体４の備えられているロックーム体との組み合わせ位置近傍にかかる押し上げ部３６ａが備えられている。図示の例では、押し上げ部３６ａは、ハンドルバー３６の中心軸に直交する向きに突き出すようにこのハンドルバー３６の側部に一体に連接された舌状板体３６ｂにより構成されている。かかる舌状板体３６ｂは、ハンドルバー３６の外形に倣った半弧状の凹部３６ｃを有すると共に、この凹部３６ｃと反対の側に頂部３６ｄを有し、かつ、この凹部３６ｃと頂部３６ｄとの間の両板縁３６ｅ、３６ｅを外部膨らみの弧状にさせてなる。そして、かかる舌状板体３６ｂは、この凹部３６ｃにハンドルバー３６の一部を納めこの凹部３６ｃにおいて溶着されてこのハンドルバー３６に備えられている。そして、この例では、展開位置にある脚体２をロックアーム体３３により支持させた状態において、自重により下降したロック補助体４の突片部４３ｂの下方に押し上げ部３６ａとなる舌状板体３６ｂの前記凹部３６ｃと頂部３６ｄとの間の板縁３６ｅ、３６ｅの一方を隣接させるようになっている。（図１０）この状態からハンドルバー３６におけるロックアーム体３の外側に位置される端部を把持して前記舌状板体３６ｂの頂部３６ｄが掛合部２３ａに近づく向きにハンドルバー３６を回動操作すると、この舌状板体３６ｂにロック補助体４の突片部４３ｂが下方から押されてそのストッパ部４０が掛合凹部３７３７の入り口３７ａ側に位置されない位置まで持ち上げられるようになっている。（図１１）すなわち、この図９〜図１１に示される例にあっては、ロックアーム体３の操作により、ロック補助体４４を押し上げながらロックアーム体３を折り畳んで、展開位置にある脚体２のロックアーム体３による支持状態を解除することができるようになっている。
【００５７】
図示の例では、バネ一端をハンドルバー３６側に止め、かつ、バネ他端を押し上げ部３６ａ側に止めたねじりコイルバネ３６ｆにより、ハンドルバー３６を前記のように回動操作しない状態では、押し上げ部３６ａの頂部３６ｄは下方を向きロック補助体４の突片部４３ｂを押さないようにしてある。押し上げ部３６ａの自重により、あるいは、ハンドルバー３６に別途ウエイトを取り付けることによっても、ハンドルバー３６を前記のように回動操作しない状態においては押し上げ部３６ａの頂部３６ｄが下方に向けられるようにすることができる。
【符号の説明】
【００５８】
１  ボトム
１０  上面
２  脚体
２０  脚上端
２１  脚下端
２３ａ  掛合部
３  ロックアーム体
３０  アーム自由端
３１  アーム基端
３３  アーム下側部
３３ａ  摺接案内部
３７  掛合凹部
４  ロック補助体
４０  ストッパ部
【図１】
2010131359.tif 000003
【図２】
2010131359.tif 000004
【図３】
2010131359.tif 000005
【図４】
2010131359.tif 000006
【図５】
2010131359.tif 000007
【図６】
2010131359.tif 000008
【図７】
2010131359.tif 000009
【図８】
2010131359.tif 000010
【図９】
2010131359.tif 000011
【図１０】
2010131359.tif 000012
【図１１】
2010131359.tif 000013
【図１２】
2010131359.tif 000014
【図１３】
2010131359.tif 000015